(57)【要約】【課題】紙面に表示されたＸＹ平面上の測定データを数値データとして容易に電子化できる測定データ電子化装置、及び測定データ電子化プログラムを提供する。【解決手段】ＸＹ平面上に表示された測定データ８を含む紙データ２００が読み取られた画像データ３００に基づいて、測定データを電子化する測定データ電子化装置９０であって、画像データから直線を抽出する直線抽出手段９０Ａと、互いに直交する２つの直線をそれぞれＸ軸２及びＹ軸４として取得するＸ−Ｙ軸取得手段９０Ｂと、画像データからＸ軸及びＹ軸の近傍に位置する数値２１、４１を取得する数値取得手段９０Ｃと、Ｘ軸及びＹ軸毎にそれぞれ取得した数値の最小値と最大値とに基づき、Ｘ軸及びＹ軸で規定されるＸＹ平面の領域６を設定する領域設定手段９０Ｄと、画像データから、領域内の測定データをＸ軸及びＹ軸上の数値データとして取得する測定データ取得手段９０Ｅと、を備えている。【選択図】図２
2015095029.tif 000002
【特許請求の範囲】
【請求項１】
Ｘ軸とＹ軸とのＸＹ平面上に表示された測定データを含む、紙面に表示された紙データが画像読取装置により画像データとして読み取られ、該画像データに基づいて前記測定データを電子化する測定データ電子化装置であって、
前記画像データから、前記画像データの画像サイズに対して所定の割合以上の長さを持つ直線を２つ以上抽出する直線抽出手段と、
前記直線のうち、互いに直交する２つの直線をそれぞれ前記Ｘ軸及び前記Ｙ軸として取得するＸ−Ｙ軸取得手段と、
前記画像データから前記Ｘ軸及び前記Ｙ軸の近傍に位置する数値を取得する数値取得手段と、
前記Ｘ軸及び前記Ｙ軸毎にそれぞれ取得した前記数値の最小値と最大値とに基づき、当該Ｘ軸及びＹ軸で規定される前記ＸＹ平面の領域を設定する領域設定手段と、
前記画像データから、前記領域内の前記測定データを前記Ｘ軸及び前記Ｙ軸上の数値データとして取得する測定データ取得手段と、
を備えた測定データ電子化装置。
【請求項２】
前記Ｘ−Ｙ軸取得手段は、前記直線抽出手段が抽出した前記直線のうち、ユーザが選択した２つの直線をそれぞれ前記Ｘ軸及び前記Ｙ軸として取得する請求項１に記載の測定データ電子化装置。
【請求項３】
前記数値取得手段は、ユーザが入力した前記数値を取得する請求項１又は２に記載の測定データ電子化装置。
【請求項４】
前記Ｘ−Ｙ軸取得手段が、前記Ｘ軸に対して直交する前記Ｙ軸を２つ取得し、かつ、前記領域内の前記測定データが２種類ある場合に、
ユーザによる、それぞれ２つの前記Ｙ軸への２種類の前記測定データの対応情報に基づき、
前記測定データ取得手段は、前記２種類の測定データを、前記Ｘ軸及び対応する前記Ｙ軸上の数値データとして取得する請求項１〜３のいずれかに記載の測定データ電子化装置。
【請求項５】
前記画像データから前記Ｘ軸及び前記Ｙ軸の近傍に位置する文字情報を取得する文字情報取得手段をさらに備え、
前記Ｘ−Ｙ軸取得手段は、前記文字情報に基づいて、前記Ｘ軸及び前記Ｙ軸の単位をそれぞれ設定する請求項１〜４のいずれかに記載の測定データ電子化装置。
【請求項６】
前記測定データ上の少なくとも２点にそれぞれ前記Ｘ軸及び前記Ｙ軸上の数値が記載されている場合に、
前記領域設定手段は、前記数値と、前記２点の間の前記Ｘ軸及び前記Ｙ軸上の距離、及び前記測定データの前記Ｘ軸及び前記Ｙ軸の両端の距離に基づき、前記ＸＹ平面の領域を設定する請求項１〜４のいずれかに記載の測定データ電子化装置。
【請求項７】
Ｘ軸とＹ軸とのＸＹ平面上に表示された測定データを含む、紙面に表示された紙データが画像読取装置により画像データとして読み取られ、該画像データに基づいて前記測定データを電子化する測定データ電子化プログラムであって、
前記画像データから、前記画像データの画像サイズに対して所定の割合以上の長さを持つ直線を２つ以上抽出する直線抽出過程と、
前記直線のうち、互いに直交する２つの直線をそれぞれ前記Ｘ軸及び前記Ｙ軸として取得するＸ−Ｙ軸取得過程と、
前記画像データから前記Ｘ軸及び前記Ｙ軸の近傍に位置する数値を取得する数値取得過程と、
前記Ｘ軸及び前記Ｙ軸毎にそれぞれ取得した前記数値の最小値と最大値とに基づき、当該Ｘ軸及びＹ軸で規定される前記ＸＹ平面の領域を設定する領域設定過程と、
前記画像データから、前記領域内の前記測定データを前記Ｘ軸及び前記Ｙ軸上の数値データとして取得する測定データ取得過程と、
をコンピュータに実行させる測定データ電子化プログラム。
【発明の詳細な説明】
【技術分野】
【０００１】
本発明は、紙面に表示されたデータを電子化する測定データ電子化装置、及び測定データ電子化プログラムに関する。
【背景技術】
【０００２】
従来から、紙で印刷された文書情報をＯＣＲ（光学文字認識）等の画像読取装置で読み取り、電子化することが行われている（特許文献１参照）。
一方、熱分析装置等の測定装置では、測定されたデータをＸ軸とＹ軸とのＸＹ平面上にグラフとしてプロットし、グラフ上で測定値を読み取ったり、ピーク部分の面積を求めたりといった解析が行われる。測定データは電子化されてコンピュータに保存され、解析もコンピュータの解析ソフトウェア上で行われている。但し、電子データを測定装置やコンピュータ内にバックアップとして保存しておくものの、グラフや解析結果は紙面に印刷して保管するケースが多い。
又、過去に測定したデータを解析したい場合、測定装置やコンピュータが起動していれば、装置やコンピュータを用いて解析を行うことが可能であるが、測定装置やコンピュータが起動していない場合には、紙面上で目視で測定データの解析を行う必要がある。
【先行技術文献】
【特許文献】
【０００３】
【特許文献１】特開平１１−２７２８７１号公報
【発明の概要】
【発明が解決しようとする課題】
【０００４】
しかしながら、紙面上で目視で測定データの解析を行うと、グラフ上のデータの値を読み取るだけでも、解析を行うユーザごとにバラつきが生じる可能性が高い。
又、測定装置やコンピュータが起動していても、過去に測定したデータが現在と異なるフォーマットの解析ソフトウェアで解析されている場合など、最近の測定データと解析結果を直接比較できないといった状況が存在する。特に、解析ソフトウェアは最新のものほど精度が高かったり、機能が多いので、最新の解析ソフトウェアで解析を行うことが望ましい。
さらに、そもそも紙面でしか保管していない測定データについては、解析ソフトウェアで解析することができない。
【０００５】
本発明は上記の課題を解決するためになされたものであり、紙面に表示されたＸＹ平面上の測定データを数値データとして容易に電子化することができる測定データ電子化装置、及び測定データ電子化プログラムの提供を目的とする。
【課題を解決するための手段】
【０００６】
上記の目的を達成するために、本発明の測定データ電子化装置は、Ｘ軸とＹ軸とのＸＹ平面上に表示された測定データを含む、紙面に表示された紙データが画像読取装置により画像データとして読み取られ、該画像データに基づいて前記測定データを電子化する測定データ電子化装置であって、前記画像データから、前記画像データの画像サイズに対して所定の割合以上の長さを持つ直線を２つ以上抽出する直線抽出手段と、前記直線のうち、互いに直交する２つの直線をそれぞれ前記Ｘ軸及び前記Ｙ軸として取得するＸ−Ｙ軸取得手段と、前記画像データから前記Ｘ軸及び前記Ｙ軸の近傍に位置する数値を取得する数値取得手段と、前記Ｘ軸及び前記Ｙ軸毎にそれぞれ取得した前記数値の最小値と最大値とに基づき、当該Ｘ軸及びＹ軸で規定される前記ＸＹ平面の領域を設定する領域設定手段と、前記画像データから、前記領域内の前記測定データを前記Ｘ軸及び前記Ｙ軸上の数値データとして取得する測定データ取得手段と、を備えている。
この測定データ電子化装置によれば、画像データからＸ軸及びＹ軸を取得し、さらにＸ軸及びＹ軸の近傍に位置する数値を取得してＸＹ平面の領域を設定し、この領域内の測定データをＸ軸及びＹ軸上の数値データとして取得するので、紙面に表示された測定データを数値データとして容易に電子化することができる。
【０００７】
前記Ｘ−Ｙ軸取得手段は、前記直線抽出手段が抽出した前記直線のうち、ユーザが選択した２つの直線をそれぞれ前記Ｘ軸及び前記Ｙ軸として取得してもよい。
【０００８】
前記数値取得手段は、ユーザが入力した前記数値を取得してもよい。
この場合、数値取得手段が数値を誤って読み取ったとしても、ユーザの入力によって誤認識を訂正できる。
【０００９】
前記Ｘ−Ｙ軸取得手段が、前記Ｘ軸に対して直交する前記Ｙ軸を２つ取得し、かつ、前記領域内の前記測定データが２種類ある場合に、ユーザによる、それぞれ２つの前記Ｙ軸への２種類の前記測定データの対応情報に基づき、前記測定データ取得手段は、前記２種類の測定データを、前記Ｘ軸及び対応する前記Ｙ軸上の数値データとして取得してもよい。
この測定データ電子化装置によれば、紙面に表示された測定データが２種類あっても、これら測定データをそれぞれ別個の数値データとして容易に電子化することができる。
【００１０】
前記画像データから前記Ｘ軸及び前記Ｙ軸の近傍に位置する文字情報を取得する文字情報取得手段をさらに備え、前記Ｘ−Ｙ軸取得手段は、前記文字情報に基づいて、前記Ｘ軸及び前記Ｙ軸の単位をそれぞれ設定してもよい。
数値の最小値と最大値を取得しただけでは、Ｘ軸及びＹ軸の数値の単位が不明である。そこで、文字情報を取得することでＸ軸及びＹ軸の数値の単位を決定することができる。
【００１１】
前記測定データ上の少なくとも２点にそれぞれ前記Ｘ軸及び前記Ｙ軸上の数値が記載されている場合に、前記領域設定手段は、前記数値と、前記２点の間の前記Ｘ軸及び前記Ｙ軸上の距離、及び前記測定データの前記Ｘ軸及び前記Ｙ軸の両端の距離に基づき、前記ＸＹ平面の領域を設定してもよい。
Ｘ軸及びＹ軸に対してそれぞれ数値が付されていない場合は、数値取得手段による数値の取得ができず、領域設定手段による領域設定もできない。しかしながら、測定データ上の少なくとも２点にそれぞれＸ軸及びＹ軸上の数値（各点のＸ軸及びＹ軸上の位置を示す数値）が記載されていれば、それらを基準として領域設定が可能となる。
【００１２】
本発明の測定データ電子化プログラムは、Ｘ軸とＹ軸とのＸＹ平面上に表示された測定データを含む、紙面に表示された紙データが画像読取装置により画像データとして読み取られ、該画像データに基づいて前記測定データを電子化する測定データ電子化プログラムであって、前記画像データから、前記画像データの画像サイズに対して所定の割合以上の長さを持つ直線を２つ以上抽出する直線抽出過程と、前記直線のうち、互いに直交する２つの直線をそれぞれ前記Ｘ軸及び前記Ｙ軸として取得するＸ−Ｙ軸取得過程と、前記画像データから前記Ｘ軸及び前記Ｙ軸の近傍に位置する数値を取得する数値取得過程と、前記Ｘ軸及び前記Ｙ軸毎にそれぞれ取得した前記数値の最小値と最大値とに基づき、当該Ｘ軸及びＹ軸で規定される前記ＸＹ平面の領域を設定する領域設定過程と、前記画像データから、前記領域内の前記測定データを前記Ｘ軸及び前記Ｙ軸上の数値データとして取得する測定データ取得過程と、をコンピュータに実行させる。
【発明の効果】
【００１３】
本発明によれば、紙面に表示されたＸＹ平面上の測定データを数値データとして容易に電子化することができる。例えば、それぞれ互換性の無い異なるデータ解析ソフトウェアによるデータであっても、最新の解析ソフトウェアを含む任意の共通の解析ソフトウェアにて解析が可能となる。
【図面の簡単な説明】
【００１４】
【図１】本発明の実施形態に係る測定データ電子化装置の全体構成を示すブロック図である。
【図２】画像データの構成の一例を示す図である。
【図３】測定データを電子化する処理フローを示す図である。
【図４】２つのＹ軸を有する画像データの構成の一例を示す図である。
【図５】２種以上の測定データを電子化する処理フローを示す図である。
【図６】測定データ電子化装置を、カメラ付き端末に実装した場合の構成を示すブロック図である。
【発明を実施するための形態】
【００１５】
以下、本発明の実施形態について、図面を参照して説明する。
図１は本発明の実施形態に係る測定データ電子化装置９０の全体構成を示すブロック図である。図１において、測定データ電子化装置９０は、ＣＰＵ（中央制御処理装置）、データやプログラムなどを格納するＲＯＭ及びＲＡＭ等の記憶手段を有する制御部９１を少なくとも有している。又、本実施形態では、測定データ電子化装置９０は、ハードディスク等からなる記憶部９２と、ユーザの入力指示を取得するキーボード等の入力部９３と、液晶ディスプレイ等からなる表示部９４とをさらに有している。
測定データ電子化装置９０は例えばマイコンやパーソナルコンピュータ等から構成され、熱分析装置等の測定装置１０１及びＯＣＲ（光学式文字読取装置）等の公知の画像読取装置１０３に接続されている。本実施形態では、測定装置１０１として熱分析装置を用いた場合を例とする。又、画像読取装置１０３としては、スキャナ等の他、スマートフォン等のカメラ付携帯端末にＯＣＲ機能をインストールして用いることもできる。
【００１６】
制御部９１は、特許請求の範囲の直線抽出手段９１Ａ、Ｘ−Ｙ軸取得手段９１Ｂ、数値取得手段９１Ｃ、領域設定手段９１Ｄ、測定データ取得手段９１Ｅ、文字情報取得手段９１Ｆに相当する。そして、制御部９１のＣＰＵは、記憶部９２に格納されたプログラムに基づいて各種演算処理を実行し、測定データ電子化装置９０の各構成部分を制御する。なお、制御部９１は、電子化された測定データを解析する解析手段９１ｘの機能をも有するが、制御部９１は必ずしも解析手段９１ｘを有しなくてもよく、解析手段９１ｘの機能が測定装置１０１側に実装されていてもよい。解析手段９１ｘは、所定の解析ソフトウェアを実行して測定データの解析を行う。例えば、測定装置１０１が熱分析装置である場合、測定データは一般に温度に対して示差走査熱量 (DSC)をプロットしたものであり、その解析としては、ＤＳＣのピークの面積を求めることが挙げられる。
【００１７】
次に、図１、図２を参照し、測定データ電子化装置９０で行う処理について説明する。
まず、図１に示すように、紙面に表示された紙データ２００が予め画像読取装置１０３により画像（イメージ）データとして読み取られる。紙データ２００は、Ｘ軸２０２とＹ軸２０４と、ＸＹ平面上に表示（印刷）された測定データ２０８と、後述する数値及び文字情報（図示せず）とを含む。
【００１８】
図２は、画像読取装置１０３により読み取られた画像データ３００の構成の一例を示す。画像データ３００の横の画像サイズ（ピクセル数）３００ａ及び縦の画像サイズ３００ｂが決められている。画像データ３００は、温度を示すＸ軸２と、ＤＳＣを示すＹ軸４と、ＸＹ平面の領域６上にプロットされた測定データ８と、数値２１、４１と、文字情報２２、４２と、汚れＢＬとを含む。そして、この画像データ３００に基づいて、測定データ電子化装置９０は測定データ８を数値データとして電子化する。
【００１９】
図３は、測定データ電子化装置９０（制御部９１）が測定データ８を電子化する処理フローを示す。
まず、ステップＳ２で、直線抽出手段９１Ａは、画像データ３００から、画像データの画像サイズ３００ａ、３００ｂに対して所定の割合以上の長さを持つ直線を２つ以上抽出する。Ｘ軸及びＹ軸は、画像データ３００において比較的長い直線であるので、ステップＳ２により、Ｘ軸及びＹ軸を含む直線を確実に抽出できる。なお、通常、Ｘ軸及びＹ軸は、それぞれ画像データ３００の横及び縦に平行に近いことから、ステップＳ２において、画像データ３００の横及び縦に所定の範囲で平行な直線を抽出するようにしてもよい。又、所定の割合とは、例えば画像サイズ３００ａ、３００ｂの５０％である。
次に、ステップＳ４で、Ｘ−Ｙ軸取得手段９１Ｂは、ステップＳ２で抽出した２つ以上の直線のうち、互いに直交する２つの直線をそれぞれＸ軸２及びＹ軸４として取得する。ステップＳ４では、互いに直交する２つの直線のうち、画像データ３００の横方向に平行に近い直線をＸ軸とする。なお、ステップＳ４では、ステップＳ２で抽出した直線からＸ−Ｙ軸取得手段９１ＢがＸ軸２及びＹ軸４を自動的に取得（選択）してもよい。又、ステップＳ２で抽出した２つ以上の直線を、Ｘ−Ｙ軸取得手段９１Ｂが表示部９４に表示し、ユーザがＸ軸２及びＹ軸４を指定してもよい。この場合、ユーザの指定は入力部９３に入力され、Ｘ−Ｙ軸取得手段９１Ｂは入力部９３の入力情報に基づいてＸ軸２及びＹ軸４を取得する。
【００２０】
次に、ステップＳ６で、数値取得手段９１Ｃは、Ｘ軸２及びＹ軸４の近傍にそれぞれ位置する数値２１，４１を取得する。具体的には、Ｘ軸２から所定範囲内に位置する数値２１を取得し、同様にＹ軸４から所定範囲内に位置する数値４１を取得する。なお、数値取得手段９１Ｃは、上述のようにして数値２１,４１を取得してもよいが、ユーザの入力部９３等を介した入力により数値２１,４１を取得してもよい。紙データ２００においては、当該数値はユーザの視認により明確に認識・確定可能であり、ステップＳ６で数値を誤って読み取った場合に、ユーザの入力によって誤認識を訂正できる。具体的には、例えばステップＳ６でプログラムにより自動的に上記数値を読み取らせた後、確認画面にてこの数値を承認するか否かをユーザに決定させ、承認しない場合にユーザに数値の入力を促すようなプログラム上の処理を行えばよい。
【００２１】
次に、ステップＳ８で、領域設定手段９１Ｄは、Ｘ軸２及びＹ軸４毎にそれぞれ取得した数値２１，４１の最小値と最大値とに基づき、Ｘ軸２及びＹ軸４で規定されるＸＹ平面の領域６を設定する。具体的には、Ｘ軸２について取得した数値２１のうち、最小値「５０」と最大値「２５０」とに基づき、Ｘ軸２の画像データ３００上のピクセル座標が数値として規定される。同様に、Ｙ軸４について取得した数値４１のうち、最小値「−６と最大値「４」とに基づき、Ｙ軸４の座標が数値として規定される。このようにして、ＸＹ平面の領域６を設定することができる。なお、図２の例では、Ｘ軸２は最大値「２５０」よりも大きな値まで延びているが、Ｘ軸２の「２５０」における座標と、Ｘ軸２の右端の座標とに基づき、Ｘ軸２の右端までの数値が割り出される。Ｙ軸４についても同様である。
【００２２】
ところで、Ｘ軸２及びＹ軸４に対してそれぞれ数値２１、４１が付されていない場合は、数値取得手段９１Ｃによる数値の取得ができず、領域設定手段９１Ｄによる領域設定もできない。しかしながら、測定データ上の少なくとも２点にそれぞれＸ軸及びＹ軸上の数値（各点のＸ軸及びＹ軸上の位置を示す数値）が記載されていれば、それらを基準として領域設定が可能である。
この場合、領域設定手段９１Ｄは測定データ上の少なくとも２点にそれぞれ記載されたＸ軸及びＹ軸上の数値を読み取る。次に、領域設定手段９１Ｄは、２点の間のＸ軸及びＹ軸上の距離をそれぞれ取得する。さらに、領域設定手段９１Ｄは、測定データのＸ軸及びＹ軸の両端の距離をそれぞれ取得する。そして、２点の間のＸ軸上の距離と、測定データのＸ軸の両端の距離との比率と、２点にそれぞれ記載されたＸ軸上の数値の差とから、ＸＹ平面の領域６のうちＸ軸への投影部分がわかる。同様にして、２点の間のＹ軸上の距離と、測定データのＹ軸の両端の距離との比率と、２点にそれぞれ記載されたＹ軸上の数値の差とから、ＸＹ平面の領域６のうちＹ軸への投影部分がわかる。このようにして領域６を設定することができる。
なお、領域設定手段９１Ｄが通常のステップＳ６の処理により数値２１，４１を取得するか、又は上記した測定データ上の少なくとも２点の数値を読み取るかの選択は、具体的には、例えばステップＳ６で数値２１，４１を取得できなかった場合に、測定データ上の点の近傍に数値が記載されているかを探索するようにしてもよい。又、ステップＳ６の前又は後で、ユーザに対して上記した測定データ上の少なくとも２点の数値を読み取る処理を行うか否かを決定させる入力を促すようなプログラム上の処理を行ってもよい。
【００２３】
次に、ステップＳ１０で、測定データ取得手段９１Ｅは、領域６内の測定データ８をＸ軸２及びＹ軸４上の数値データとして取得する。具体的には、測定データ取得手段９１Ｅは、Ｘ軸２上で所定の間隔毎に測定データ８ａ、８ｂ、８ｃ・・・を座標（ピクセル）データとして取得し、ステップＳ８で求めた座標と数値との対応に基づき、測定データ８ａ、８ｂ、８ｃの座標データをＸ軸２及びＹ軸４の数値にそれぞれ対応した数値データに変換する。なお、例えば領域６内で背景との明度が所定の閾値を超える画像を、測定データ８として認識する。
以上のようにして、測定データ８が数値データとして電子化されるので、解析手段９１ｘにより測定データを解析できるようになる。従って、紙面に表示された測定データを解析したり、異なるフォーマットの解析ソフトウェアで解析された測定データを所望の解析ソフトウェアで再解析することができ、最近の測定データと解析結果を直接比較できる。
図１に、電子化された測定データ８の解析結果４００と、他の測定データの解析結果４１０を表示部９４に表示した例を示す。
【００２４】
なお、ステップＳ１２で、文字情報取得手段９１Ｆは、Ｘ軸２及びＹ軸４の近傍にそれぞれ位置する文字情報２２，４２を取得してもよい。ステップＳ６で数値２１，４１の最小値と最大値を取得しただけでは、Ｘ軸２及びＹ軸４の数値の単位が不明である。そこで、文字情報２２，４２を取得することでＸ軸２及びＹ軸４の数値の単位を決定することができ、測定データをより正確に解析できる。例えば、図２において、Ｘ軸２近傍には、文字情報２２として「Ｔｅｍｐ  Ｃｅｌ」と記載されており、これより、Ｘ軸２の単位が「温度（℃）」であると判定することができる。同様に、Ｙ軸４近傍には、文字情報４２として「ＤＳＣ  ｍＷ」と記載されており、これより、Ｙ軸４の単位がＤＳＣの「ｍＷ」であると判定することができる。
Ｘ−Ｙ軸取得手段９１Ｂは、文字情報取得手段９１Ｆが取得した上述の文字情報に基づいて、Ｘ軸２及びＹ軸４の単位（温度（℃）、ＤＳＣ（ｍＷ））をそれぞれ設定する。
【００２５】
文字情報取得手段９１Ｆによる処理はステップＳ１０の後でなくてもよく、例えばステップＳ６と同時に行ってもよい。
なお、例えば、測定装置１０１が熱分析装置である場合、測定データはＸ軸を温度（℃）とし、Ｙ軸を示差熱量（ｍＷ）としてプロットしたものが一般的である。従って、予め測定データが熱分析に関するものである旨をユーザ又は測定データ電子化装置９０（制御部９１）に接続された測定装置１０１から指定することで、文字情報取得手段９１Ｆによる処理を行わず、Ｘ軸の単位が温度（℃）で、Ｙ軸の単位が示差熱量（ｍＷ）であると測定データ電子化装置９０がみなしてもよい。この場合、測定データ電子化装置９０は、測定装置１０１の種別毎に、Ｘ軸とＹ軸の単位の組み合わせのテーブルを有してもよい。
又、文字情報取得手段９１Ｆによる処理を行わず、Ｘ軸とＹ軸の単位が不明な場合であっても、電子化された測定データを相対値として用いることができる。
【００２６】
なお、図２に示すように、画像データ３００のＸＹ平面の領域６内に汚れＢＬがあると、この汚れＢＬを測定データ８と誤認するおそれがある。そこで、測定データとして取得した個々の測定データ８ａ、８ｂ、８ｃをラベリング処理し、例えば同一ラベルのグループが閉曲線となった場合は汚れＢＬとみなしてデータから除去してもよい。
【００２７】
ところで、図４に示すように、画像データ３１０が１つのＸ軸２に対して、２つのＹ軸４Ａ，４Ｂを持つことがある。図４の例では、左側のＹ軸４Ａは単位がＤＳＣ（ｍＷ）であり（文字情報４２Ａ参照）、右側のＹ軸４Ｂは単位がＤＳＣ（ｍＷ/ｍｉｎ）である（文字情報４２Ｂ参照）。つまりＹ軸４ＢはＹ軸４Ａの時間変化を示している。
そして、測定データは線種が異なる２種類のデータからなり、そのうち実線で表示された測定データ８ＡがＹ軸４Ａに対応し、破線で表示された測定データ８ＢがＹ軸４Ｂに対応している。
【００２８】
図５は、図４の２種類の測定データ８Ａ，８Ｂを測定データ電子化装置９０（制御部９１）が電子化する処理フローを示す。
まず、ステップＳ１０２で、直線抽出手段９１Ａは、画像データ３００から複数の直線を抽出する。図４は２つのＹ軸４Ａ，４Ｂを有しているので、直線抽出手段９１Ａは、３つ以上の直線を抽出することになる。ステップＳ１０２の処理は、ステップＳ２と同様である。
次に、ステップＳ１０４で、Ｘ−Ｙ軸取得手段９１Ｂは、ステップＳ２で抽出した３つ以上の直線のうち、互いに直交する３つの直線をそれぞれＸ軸２及びＹ軸４Ａ，４Ｂとして取得する。ステップＳ１０４の処理は、ステップＳ４と同様である。又、ステップＳ１０４で抽出した３つ以上の直線を、Ｘ−Ｙ軸取得手段９１Ｂが表示部９４に表示し、ユーザがＸ軸２及びＹ軸４Ａ，４Ｂを指定してもよい。
【００２９】
次に、ステップＳ１０６で、数値取得手段９１Ｃは、Ｘ軸２及びＹ軸４Ａ，４Ｂの近傍にそれぞれ位置する数値２１，４１Ａ、４１Ｂを取得する。ステップＳ１０６の処理は、ステップＳ６と同様である。
次に、ステップＳ１０８で、領域設定手段９１Ｄは、Ｘ軸２及びＹ軸４Ａ，４Ｂ毎にそれぞれ取得した数値２１，４１Ａ、４１Ｂの最小値と最大値とに基づき、Ｘ軸２及びＹ軸４Ａ，４Ｂで規定されるＸＹ平面の領域６を設定する。ステップＳ１０８の処理は、ステップＳ８と同様である。
【００３０】
次に、ステップＳ１１０で、測定データ取得手段９１Ｅは、領域６内の測定データ８Ａ、８Ｂが２種類あるか否かを判定する。ここで、測定データ取得手段９１Ｅは、画像データ３１０における測定データ８Ａ、８Ｂの色調や、線の特徴抽出等を行い、測定データ８Ａ、８Ｂの色や線種から、測定データが２種類あるか否かを判定する。
ステップＳ１１０で「Ｎｏ」であれば、測定データは１種類であるから図３のフローと同一であり、図３のステップＳ１０へ移行する。
一方、ステップＳ１１０で「Ｙｅｓ」であれば、測定データ取得手段９１Ｅは、表示部９４に測定データ８Ａ、８Ｂ及びＹ軸４Ａ，４Ｂが２種類ある旨を表示する。ユーザは入力部９３を介して、測定データ８Ａ、８ＢとＹ軸４Ａ，４Ｂとの対応情報を入力し、測定データ取得手段９１Ｅはこの対応情報を取得する（ステップＳ１１２）。
なお、ステップＳ１１０で測定データが２種類あるか否かを判定する代わりに、予めユーザが２種類の測定データがある旨を入力し、この入力情報があった場合に測定データ取得手段９１Ｅは、測定データが２種類あると判定してもよい。
【００３１】
次に、ステップＳ１１４で、測定データ取得手段９１Ｅは、領域６内の２種類の測定データ８Ａ、８Ｂを、それぞれＸ軸２及び対応するＹ軸４Ａ，４Ｂ上の数値データとして取得する。具体的には、測定データ８ＡをＸ軸２及びＹ軸４Ａ上の数値データとして取得し、測定データ８ＢをＸ軸２及びＹ軸４Ｂ上の数値データとして取得する。ステップＳ１１４の処理は、ステップＳ１０と同様である。
さらに、必要に応じて、ステップＳ１１６で、文字情報取得手段９１Ｆは、Ｘ軸２及びＹ軸４Ａ，４Ｂの近傍にそれぞれ位置する文字情報２２，４２Ａ，４２Ｂを取得してもよい。ステップＳ１１６の処理は、ステップＳ１２と同様である。
以上のようにして、測定データ８Ａ、８Ｂが２種類あっても、これら測定データが数値データとして電子化されるので、解析手段９１ｘにより２種類の測定データをそれぞれ解析できるようになる。
【００３２】
本発明は上記実施形態に限定されず、本発明の思想と範囲に含まれる様々な変形及び均等物に及ぶことはいうまでもない。
例えば、図６に示すように、測定データ電子化装置９５を、タブレット端末等のカメラ付き端末１０５に実装してもよい。カメラ付き端末１０５は、カメラ１０５ａ及び制御部１０５ｂを備え、制御部１０５ｂはＣＰＵ（中央制御処理装置）、ＲＯＭ及びＲＡＭ等を有する。そして、測定データ電子化装置９５は制御部１０５ｂとして実現されている。具体的には、制御部１０５ｂは測定データ電子化装置９５を実現するコンピュータプログラムを実行する。又、制御部１０５ｂはＯＣＲ機能を実現するコンピュータプログラムを実行することにより、カメラ１０５ａを介して紙データ２００を画像データとして読み取る。すなわち、カメラ付き端末１０５は画像読取装置１０３としても機能する。
そして、制御部１０５ｂは、紙データ２００を読み取って生成した画像データに基づき、上記図３、図５と同様な処理フローによって測定データを電子化し、電子化した測定データを、パーソナルコンピュータ１０７に送信する。
パーソナルコンピュータ１０７は、電子化された測定データを解析する解析手段１０７ｘを実装してなる。解析手段１０７は、解析手段９１ｘと同様に、所定の解析ソフトウェアを実行して測定データの解析を行う。
【符号の説明】
【００３３】
２    Ｘ軸
４、４Ａ、４Ｂ    Ｙ軸
６    ＸＹ平面の領域
８、８Ａ、８Ｂ    測定データ
２１、４１、４１Ａ、４１Ｂ    数値
２２、４２、４２Ａ、４２Ｂ    文字情報
９０    測定データ電子化装置
９０Ａ    直線抽出手段
９０Ｂ    Ｘ−Ｙ軸取得手段
９０Ｃ    数値取得手段
９０Ｄ    領域設定手段
９０Ｅ    測定データ取得手段
９０Ｆ    文字情報取得手段
２００    紙データ
３００、３１０    画像データ
【図１】
2015095029.tif 000003
【図２】
2015095029.tif 000004
【図３】
2015095029.tif 000005
【図４】
2015095029.tif 000006
【図５】
2015095029.tif 000007
【図６】
2015095029.tif 000008